(57)【特許請求の範囲】
【請求項１】
駆動モータ（４）によって正逆回転される巻取ドラム（３）にシート（２）の一端を止着して巻掛けてなる巻取繰出構造において、前記巻取ドラム（３）の周面巾方向に複数の係止孔（７）をドラム板（３０）の内外に貫通させて形成すると共に、シート（２）の巻取り側の基部に上記係止孔（７）に各対応させ前記巻取ドラム（３）の外側より挿入することにより係止可能な複数の係合部（７０）を設けて係脱部とし、上記係合部（７０）を係止孔（７）に係脱させることにより、シート（２）を巻取ドラム（３）に着脱可能に取り付けるシートの巻取繰出構造。
【請求項２】
巻取ドラム（３）を湾曲させた対称形状のドラム板（３０）の両端を重接させることにより形成すると共に、該ドラム板（３０）の重接部に係止孔（７）を穿設する請求項１のシートの巻取繰出装置。
【請求項３】
係合部（７０）を、シート（２）の巻取り側の基部を支持する取付バー（３４）に一体的に形成する請求項１又は２のシートの巻取繰出装置。
【請求項４】
シート（２）の基部に巾方向に沿って取付バー（３４）を設け、該取付バー（３４）に取付軸（７２）を挿通し、該取付軸（７２）に筒状の係合部（７０）と鍔部（７０ａ）を有する取付座（７３）を挿通し締着することにより、取付バー（３４）に係止孔（７）に係合する係合部（７０）を設けた請求項１又は２又は３のシートの巻取繰出装置。
【発明の詳細な説明】
【０００１】
【発明の属する技術分野】
本発明は、工場や倉庫等建物の出入口や間仕切り部分に設置される、シートシャッター等に好適に用いることができるシートの巻取繰出装置に関する。
【０００２】
【従来の技術】
従来、工場や倉庫等建物の出入口や間仕切り部分に設置されるシートシャッターは、巻取ドラムに可撓性を有するシャッター用のシートを巻取繰出し可能に設け、該シートをゲート状のフレームに沿わせて昇降動作させるように構成している。
また上記シートは、その上下方向に巾方向の撓みを防止する複数の心材を横設していると共に、駆動モータによって正逆回転可能に駆動される円筒状の巻取ドラムに、シートの基部側を取付ネジによって取付固定した状態で巻取繰出回転可能に設けている。
【０００３】
【発明が解決しようとする課題】
然し、上記のような従来の構成によるシートシャッターは、複数の心材を横設して上下に長い重量構造のシートを、断面円筒状の巻取ドラムに巻き付けているため、シートが高速で巻き取られる際に、心材が巻取ドラムの表面に激しく接当する衝撃で変形等を生じやすいので、巻取ドラムを径大で且つ肉厚な塩ビパイプ等の筒体にしている。従って、巻取ドラムが大重量で大型化すると共にシートの巻取り径が大きくなって、シートシャッターをコンパクトに纏めたり、シートの巻取繰出しの一層の高速化を図り難い等の欠点がある。
また円筒状の巻取ドラムに基部側を取付ネジよって取着されたシートは、重量のあるシートを高速で巻取繰出しするとき、取付固定部分においてシート重量や慣性力が集中しやすく、シートを裂損したり、取付ネジによるシートの取付固定手段では、シートを交換する際にそのメンテナンス作業が煩雑で非能率になる等の問題がある。
【０００４】
【課題を解決するための手段】
上記従来の問題点を解消するための本発明によるシートの巻取繰出構造は、第１に駆動モータ４によって正逆回転される巻取ドラム３にシート２の一端を止着して巻掛けてなる巻取繰出構造において、前記巻取ドラム３の周面巾方向に複数の係止孔７をドラム板（３０）の内外に貫通させて形成すると共に、シート２の巻取り側の基部に上記係止孔７に各対応させ前記巻取ドラム３の外側より挿入することにより係止可能な複数の係合部７０を設けて係脱部とし、上記係合部７０を係止孔７に係脱させることにより、シート２を巻取ドラム３に着脱可能に取り付けることを特徴としている。
【０００５】
第２に、巻取ドラム３を湾曲させた対称形状のドラム板３０の両端を重接させることにより形成すると共に、該ドラム板３０の重接部に係止孔７を穿設することを特徴としている。
【０００６】
第３に、係合部７０を、シート２の巻取り側の基部を支持する取付バー３４に一体的に形成することを特徴としている。
【０００７】
第４に、シート２の基部に巾方向に沿って取付バー３４を設け、該取付バー３４に取付軸７２を挿通し、該取付軸７２に筒状の係合部７０と鍔部（７０ａ）を有する取付座７３を挿通し締着することにより、取付バー３４に係止孔７に係合する係合部７０を設けたことを特徴としている。
【０００８】
【発明の実施の形態】
本発明の一実施形態を図面に基づいて説明する。図１，図２において１はシートシャッター１であり、該シートシャッター１のシャッターフレーム１ａは、内部に後述するシートの巻取繰出構造を収容する中空筒状のシートケース１０と、横フレーム１２によって上部を連結支持される左右のサイドフレーム（支柱）１１，１１等からなり、上記シートケース１０を横フレーム１２上に取付固定することによって、全体としてゲート型のフレームになるように構成している。
そして、シートケース１０の内部には、シート（シャッター）２を多角形状（図示例では８角形）の巻取ドラム３に巻取繰出回転可能に構成するシートの巻取繰出構造を収容し、また両サイドフレーム１１，１１内には、シート２の繰出側の両側を嵌挿して昇降動作可能にし、前記シャッターフレーム１ａを建物等の出入口に立設することにより、該出入口をシート２で開閉するシートシャッター１を設置構成するようにしている。
【０００９】
以下この詳細な構成について説明すると、上記シートケース１０は、中空なカバー枠体の両端に端板１３，１３を着脱可能に嵌め込んで取付固定することにより、該シートケース１０を密閉状に形成維持させると共に、右方の端板１３には巻取ドラム３の端部内に収容可能な円柱状の駆動モータ４を取付ネジを介し着脱可能に固着し、シートの巻取繰出構造によって駆動モータ４の着脱交換並びにシート２等のメンテナンス作業を行い易くしている。
シート２は、透光性，可撓性を有する合成樹脂材よりなる長方形の幕体の上端（基部側）を、巻取ドラム３の軸芯方向に沿って形成されている、後述する屈曲外側面３ｂに固着し、巻取ドラム３の正逆回転（巻取繰出回転）によりシート２の繰り出し下降及び巻き上げ上昇等の昇降開動を可能にしている。
【００１０】
シート２は、在来のものと同様にその長手（巾）方向に袋状の心材収容部２０を所定間隔で多数段にわたって形成し、各心材収容部２０内に一定の剛性を有した棒状の心材２１を挿通し、シート２の巾方向の撓みを防止するように通直性を保っていると共に、シート２の下端には重垂構造９を備えた接地部２２を設けている。
尚、上記重垂構造９は図５で示すように、シート２の下端に棒状のウェイトを兼ねた心材９０を心材収容部２５内に挿通保持すると共に、該心材収容部２５の外周をスポンジ等のクッション部材９１で覆った状態で、弾力性の接地カバー９２でチューブ状断面をなすように折り曲げて被覆する構成にし、これによりシート下端の通直性を保持し弾力性をもたせて好適に接地を行わせると共に、心材９０の自重によってシート２の繰出動作を良好に促すものである。
【００１１】
また前記左右のサイドフレーム１１は、板金形成された薄板からなるガイドケース１５を二つ合わせにして断面コ字状に形成しており、この内部にシート２の両端を差し込み収容して昇降可能に案内するようにしている。
そして、シャッタフレーム１ａの左側面には、赤外線センサからなる開動センサ（起動センサ）Ｓを正面側中央を向くように設置して、該開動センサＳがシート２の前方に人や運搬車等の通過体を検出した際には、開動センサＳの検出信号によって制御ボックス５を介して駆動モータ４を作動し、閉鎖中のシート２を自動的に開くことができる構成にしている。
また両サイドフレーム１１，１１の下側には、上記とは逆に、シート２が開かれた状態で該シート２の下方に障害物があるとき、駆動モータ４によるシート２の下降を規制させる、障害物検知用の赤外線或いは光電管等よりなる下降規制センサＳ１を設けている。
【００１２】
尚、この実施形態における駆動モータ４は正逆回転可能でブレーキ付のモータを採用しており、駆動モータ４の駆動軸４０の他端には、エンコーダー又は他のセンサ類からなる検出装置（不図示）を設けて、該検出装置で検出した駆動モータ４の回転数（信号）を前記制御ボックス５で読みとり判断させ、上記シート２の作動及び停止を所望に行うことができるようにしていると共に、制御ボックス５に設けたリモコンスイッチ５０或いは操作スイッチ５１によって、シート２の開閉動作並びに開閉パターン等のモード設定を自在に行うと共に、その適正作動を行わせるようにしている。
【００１３】
次に前出のシートの巻取繰出構造について説明する。巻取ドラム３は後述する構成によって中空な多角形状（図示例では８角形）に形成しており、駆動モータ４はそのドライブ軸４０に８角形の支持部材６を取着し、該支持部材６を巻取ドラム３の右側内奥部に嵌挿している。
また巻取ドラム３の左方は、その内部に前記左側の端板１３にメタル部１６で遊転可能に軸支した支軸１７に固着される支持部材６ａを嵌挿することによって支持している。
上記構成により、巻取ドラム３をシートケース１０内に安定よく巻取繰出回転可能に支持している。巻取ドラム３は、左側の支持部材６ａを取付ネジ１８で締着しているが、右側の支持部材６とは後述する理由によって軸芯方向の固定をすることなく巻取ドラム３を良好に支持するようにしている。
【００１４】
図示例において、上記支持部材６，６ａは略同形状に形成しており、両者はその軸支板６０の外周に、４枚の広巾平坦状の支持片６１を等間隔を有して屈曲形成してなり、該支持片６１を巻取ドラム３の多角形状に屈曲して形成された、屈曲頂部３ｃ，３ｃ間の内側平坦面（屈曲内側面）３ａに各嵌合させて接合する構造にしている。
この構造により、シートケース１０内に先ず巻取ドラム３の左側を支持部材６ａで位置決め固定したのち、予め端板１３に駆動モータ４と共に部品組みされている支持部材６を巻取ドラム３の右側から挿入すると、巻取ドラム３はその両側を簡単な組立構成を以て能率よく的確に支持することができるものである。
【００１５】
また支持部材６は、支持片６１の巾を上記屈曲内側面３ａと略同巾な平坦面に形成していると共に、巻取ドラム３の多角形状の屈曲内側面３ａの数より少ない等間隔を有して突設した各支持片６１が、巻取ドラム３の対応する屈曲内側面３ａに屈曲頂部３ｃ両側の屈曲内側面３ａ，３ａで規制保持されるので、巻取ドラム３と支持片６１とを取付ネジ等の固定手段を特に必要とすることなく良好に接合することができ、巻取ドラム３を支持部材６によってガタツキ等を伴うことなく、簡潔な構成で的確に駆動することができると共に、巻取ドラム３の表面に取付ネジの頭等を突出させない平坦状にすることができるので、巻取ドラム３に巻き取られるシート２の損傷や引っ掛かり等の不具合を簡単に防止することができる等の利点がある。
【００１６】
また後述する構成によって多角形状に形成された巻取ドラム３は、その周面に屈曲外側面３ｂと共に山形に形成される複数の屈曲頂部３ｃがアングル状の補強リブとして撓みや捩じりに対し充分な剛性を有するので、重量のあるシート２を正逆に激しく巻取繰出回転する際に加わる負荷によって巻取ドラム３を変形させたり損傷させたりすることなく、巻取ドラム３を長期間にわたり円滑に駆動することができると共に、ドラム直径を可及的に小径にすることができ、またシート２の最大巻取り径を小さくすることができて、コンパクトなシートケース１０を形成することができる等の特徴がある。
【００１７】
次に図３〜図９を参照し、巻取ドラム３の構成及びシート２の取付構造について説明する。
図示例の側面視正８角形の巻取ドラム３は、肉薄な板状部材を以て湾曲形状の左右対称形で軸芯方向に二分割してなるドラム板３０，３０でなり、両者の端部を互いに重接固定することにより、側面視略正８角形で８つの屈曲頂部３ｃと屈曲外側面３ｂを有する多角形状筒体に構成している。
これにより、軽量でありながら剛性の高い巻取ドラム３を簡単に加工製作すると共に、シート２を良好に巻き取ることができるようにしている。
【００１８】
即ち、上記ドラム板３０は、肉薄の鉄板を曲板機によって半多角形に屈曲形成すると共に、その両端辺に沿って取付ネジ３１或いはリベット３２を、各挿通可能なナット３３付きの取付孔とリベット孔等を複数設けると共に、一対のドラム板３０，３０の両端辺を図示の如く重ねた状態で、取付ネジ３１或いはリベット３２で締着することにより、一本の多角形状の巻取ドラム３を剛性高く簡単な加工手段で製作できるように構成している。
【００１９】
そして、上記シート２は巻取ドラム３に対し図７〜図１４の各実施形態で示すような取付構造によって、的確に取付固定させると共に簡単に着脱することができるようにし、シート２の組付け及び交換等のメンテナンス作業を容易に行うことができるようにしている。
先ず、図７〜図９で示す第１実施形態に係わるシートの取付構造について説明すると、対称形状に２分割された一対のドラム板３０，３０は、その両端辺に沿って図８（Ｂ）で示す形状の係止孔７を所定の間隔を有して複数穿設しており、各ドラム板３０に穿設された係止孔７は、ドラム板３０，３０を重接固定したとき互いに一致し、巻取ドラム３の内外を貫通するようにしている。
【００２０】
即ち、同図の係止孔７は、後述する取付座７３の鍔部７０ａを余裕を有して嵌挿可能な円形状の丸孔にしていると共に、該丸孔内の回転方向上手側と下手側の中央部には、取付座７３の係合部７０を嵌入させて位置決め係止可能な凹溝状の係止部７ａを形成している。
これにより、各取付座７３を対応する径大な係止孔７内に両者に加工誤差等を有していても容易に嵌入させることができると共に、嵌入させた係合部７０を凹溝状の係止部７ａに確実に嵌入係止させて、シート２をその上端部（基部）の左右方向の移動を防止して的確に取付固定することができる。
【００２１】
一方、図８に示すようにシート２の基部側の取付固定手段は、シート２の上端を折り返してシート本体に接着させることにより袋状に形成した取付袋部２３と、該取付袋部２３内に挿通可能で長板部材を側面視ヘ字状に屈曲させて前記係止孔７毎に対応する取付孔７１を穿設した取付バー３４と、該取付孔７１内にシート２の取付袋部２３を突き破りながら嵌挿可能なリベット７２と、該リベット７２に嵌挿可能な筒状の係合部７０と鍔部７０ａを有する取付座７３とからなり、同図に示すように取付バー３４と取付座７３を対向させた状態で、両者にリベット７２を挿入しその端部をかしめたとき、シート２を取付バー３４に固定すると共に該取付バー３４に複数の係合部７０を一体的に構成することができるようにしている。
【００２２】
またこの際、図９に示すように取付座７３は、係合部７０を取付バー３４と鍔部７０ａとの間で重接されたドラム板３０の厚さよりやや長く形成していると共に、鍔部７０ａの挿入側を円錐形状の案内面７５となるように形成しているので、取付座７３を係止孔７に挿入させるとき、先細な案内面７５を係止孔７内に速やかに位置決め嵌入させることができ、こののちは外側から押圧するだけで取付座７３を巻取ドラム３内に簡単に挿入させることができ、且つ係合部７０を係止部７ａに充分な剛性を有せしめて、係止孔７との係合を耐久性を有して的確に行うことができる。
【００２３】
また巻取ドラム３の係止部７ａは、２枚のドラム板３０を重接させた厚さにしているので、特別な補強構造にすることなく重接されたドラム板３０，３０による強度と広い受け面によって、係合部７０を耐久性を有して安定よく位置決め係止することができると共に、この分ドラム板３０の板厚を大きくすることなく係止孔７の強度と耐久性を向上させることができるから、巻取ドラム３の軽量化を図ることができる等の利点も有している。
【００２４】
また取付袋部２３内に挿通する取付バー３４は、ヘ字状に屈曲させた部位を巻取ドラム３の屈曲頂部３ｃに合致させることにより、取付バー３４の屈曲部を介してシート２の引っ張り方向の荷重を良好に受け止めることができる等の利点がある。
そして、シート２を巻取ドラム３から外す際には、取付袋部２３側を巻取り方向側に押圧移動させると、係合部７０が係止部７ａから簡単に外すことができ、こののち取付袋部２３側を持ち上げると、取付座７３を係止孔７から速やかに引き抜くことができるので、シート２の取り外しを簡単に行うことができる。
従って、シート２の着脱を簡単且つ速やかに行うことを可能にし、シート２の組付けやメンテナンス作業等を能率よく容易に行うことができる。
【００２５】
上記のようにして巻取ドラム３に取着されるシート２は、その巻取り方向下手側の近傍に、可撓性及び適当な弾力性を有するスポンジ板等からなる緩衝用の補助幕体２ａを巻取ドラム３に巻付け可能にしており、この補助幕体２ａによって巻取繰出回転時に巻取ドラム３の周面とシート２との直接的な接当を防止すると共に、重量のある心材２１部分が勢いよく巻取ドラム３に接当する際に、これを緩衝して両者の保護を図ると共に、接当による騒音等の発生を防止して静かな巻取繰出回転を行うことができるようにしている。
【００２６】
即ち、図４〜図６で図示するように補助幕体２ａは、薄いスポンジ板をシート２と略同巾で巻取ドラム３に一周以上巻付け可能な長さに形成していると共に、その始端部側を前記屈曲内側面３ａの表面側に形成される平坦状の屈曲外側面３ｂに、両面接着テープ等の接着剤２ｂによって貼着するか、或いはシート２の内側面に直接的に貼着させ、且つその終端部側は巻取ドラム３に固定しないで自由になるように設けている。
この構成により、図５の矢印方向の巻取回転によって巻取ドラム３がシート２を勢いよく巻き取るとき、順次巻き上げられる心材２１は心材収容部２０内に収容された状態で、補助幕体２ａを介して巻取ドラム３側に接当するので、接当による大きな反発や騒音等を生ずることなく、シート２の巻取繰出回転を円滑に行うことができる。
【００２７】
また既述のように補助幕体２ａの下手側は自由端にしていることにより、巻取ドラム３の巻取回転によってシート２に追随して巻取ドラム３の周面に適切に沿って巻き付けられると共に、巻取ドラム３の繰出回転の最終側では図６に示すように、補助幕体２ａの自由端側はシート２に追随して繰り出されるから、シート２の巻取繰出動作を円滑に行うことができると共に、巻取ドラム３に対する補助幕体２ａの装着構造が簡単で廉価に構成することができる他、補助幕体２ａが長期の使用によって伸び等を生じたとしてもこの自由端側で逃がされるので、補助幕体２ａは巻取時に屈曲外側面３ｂでの撓みによる接合不良等を生ずることなく、長期間にわたり好適に使用することができる等の利点を有している。
【００２８】
次に、図４〜図６を参照しシート２の構成並びにその巻取繰出の態様について説明する。
巻取ドラム３はシート２を巻き取るとき、シート２に粗間隔を以て横設される各心材２１が、多角形状に形成された平坦な屈曲外側面３ｂに略均等に位置すると共に、同一な屈曲外側面３ｂにおいて位置する複数の心材２１が互いに齟齬するようにシート２を巻くことにより、シート２の巻取直径を可及的に小さくしていると共に、上下に隣設する心材収容部２０が心材２１部分の激しい接当を回避させて、上記心材収容部２０が亀裂等の損傷を受けることや騒音の発生等を良好に防止することができるようにしている。
【００２９】
即ち、図示例のシート２は巻取ドラム３がその直径を略１６５ミリ程度にしていることから、該シート２に横設される心材２１間隔は上方から例えば、略５４７ミリ，５６７ミリ，５８２ミリ，５９２ミリ，５８２ミリ・・等の異間隔を維持させて各心材収容部２０を設けていることによって、図５に示すように各心材２１を巻取ドラム３の相隣る屈曲外側面３ｂ間に形成される屈曲頂部３ｃに位置させることなく、心材２１を屈曲外側面３ｂ上に位置させると共に、該屈曲外側面３ｂに内外（上下）に巻取位置された複数の心材２１部分の重なり接当を防止するようにしている。
【００３０】
また多角形状の巻取ドラム３に巻き取られるシート２は、屈曲頂部３ｃ部分では内外に重なるシート２部分が強く接合されるが、屈曲外側面３ｂ部分ではその平坦面によって緩い重なりになるので、巻取ドラム３にシート２全体を強く締め付けることのないものでありながら、屈曲頂部３ｃによって確実な巻取動作を行うことができ、シート２の耐久性を損なうことなく小径に巻き取ることができるものである。
また繰出回転時には、シート２は各屈曲外側面３ｂの広い面積において内外に重なるシート２部分は緩い重なりで離間状態にあるので、シート２の繰出剥離がスムースで、シートシャッター１の閉動作を速やかに行うことができる等の利点がある。
【００３１】
従って、以上のようなシートの巻取繰出装置を備えたシートシャッター１は、多角形状に形成した巻取ドラム３によってシート２の巻取繰出動作を良好に行うことができるから、シート２の昇降動作による間口（出入口）の開閉を優れたものにすることができると共に、シート２の巻取繰出の高速化を図ることが可能になるものである。
また装置をコンパクトに纏めて建物等への設置を行い易くすることができ、且つ廉価に製作することができる等の特徴がある。
尚、上記の如く取付バー３４と取付座７３側から、共に短い係合部７０を打ち出し加工すると、両者で剛性を有する長い筒状の係合部７０を簡単に形成することができる等の利点がある。
【００３２】
そして、駆動モータ４によって正逆回転される巻取ドラム３にシート２を巻掛けてなる巻取繰出構造において、前記巻取ドラム３の周面巾方向に複数の係止孔７を形成すると共に、シート２の巻取り側の基部に上記係止孔７に各対応して係止可能な複数の係合部７０を設けたことにより、巻取ドラム３に対するシート２の取付けは、巻取ドラム３に穿設した複数の係止孔７にシート２の基部に祖間隔に設けた係合部７０を単に差し込み嵌入するだけで、的確に位置決め支持することができるから、巻取ドラム３に対するシート２の着脱を簡単且つ能率よく行うことができるものである。
【００３３】
尚、上記のようなシート２の取付けに当たり、取付座７３の鍔部７０ａは係止孔７の内側に係止して取付バー３４の浮き上がりや外れを的確に防止するが、この防止手段に限ることなく、シート２の最繰り出し時において、シート２を巻取ドラム３に１巻以上に予備巻付けをしておくことにより、該予備巻付けされたシート２が取付バー３４を覆って押し付けるようにてもよいものである。
またこの巻取ドラム３は、上記のような鉄板屈曲手段に限ることなく、プラスチック材によって８角形並びにその前後の多角形状や円筒形状の筒体等で一体的に形成してもよいものである。
【００３４】
次に図１０〜図１２で示す本発明の第２実施形態について説明する。（尚、上記第１実施形態と同様な構成については説明を省略する。）
同図の係止孔７は、巻取ドラム３の周方向に長い広巾な長孔にしていると共に、該長孔内の回転方向上手側と下手側の中央部には、後述する係合部７０を嵌入させて位置決め係止可能な凹溝状の係止部７ａを形成している。
これにより、各係合部７０を対応する広巾な係止孔７内に両者に加工誤差等を有していても容易に嵌入させることができると共に、嵌入させた係合部７０を凹溝状の係止部７ａに嵌入係止させて、シート２をその上端部（基部）の左右方向の移動を防止して的確に取付固定することができる。
尚、係止孔７の形状は図示例のものに限ることなく、図１１（Ｂ）の点線で示すような菱形等の形状にしてもよいものであり、この場合には係止孔７内に嵌入された係合部７０を、菱形で収束する斜面で案内して係止部７ａ内に、簡単且つ速やかに位置決め係止させることができる利点がある。
【００３５】
またシート２の基部側の取付固定手段は、同図に示すように取付バー３４と取付座７３を対向させた状態で、両者にリベット７２を挿入しその端部をかしめたとき、シート２を取付バー３４に固定すると共に該取付バー３４に複数の係合部７０を一体的に構成することができ、この際、上記取付バー３４の取付孔７１は前記係合部７０と略同形状の筒状の係合部７０を形成すべく打ち出し形成しており、これにより両者で取付バー３４と鍔部７０ａとの間に、重接されたドラム板３０の厚さよりやや長い係合部７０を一連に簡単にすると共に、該係合部７０に充分な剛性を有せしめて、係止孔７との係合を耐久性を有して的確に行いながら、シート２の着脱を簡単且つ速やかに行うことを可能にし、シート２の組付けやメンテナンス作業等を能率よく容易に行うことができるようにしている。
【００３６】
次に図１３（Ａ）を参照し本発明の第３実施形態について説明する。このシート２の取付構造は、第２実施形態のものと同様に、取付袋部２３内に挿入される取付バー３４と、リベット（取付軸）７２と、該リベット７２に嵌挿可能な筒状の係合部７０と鍔部７０ａを有する取付座７３とからなり、図示例の取付バー３４側からは係合部７０を形成しないで、取付座７３の係合部７０の長さを巻取ドラム３の重接部の厚さと略同等に形成した構成にしている。
【００３７】
また図１３（Ｂ）で示す第４実施形態は、単独で平坦な取付座７３になる鍔部７０ａと取付バー３４との間に、単独に形成した筒状の係合部７０を介装し、これら三者に取付ネジ（取付軸）７２を挿通し、ナットで締着することにより取付構造を構成している。
また図１４（Ａ）で示す第５実施形態は、第２実施形態のものと同様に取付座７３から打ち出した係合部７０にネジ部を形成した取付孔７１を設け、該ネジ部に長い取付ネジ（取付軸）７２を螺挿し、該取付ネジ７２でシート２を固定すると共に係止孔７に係合する係合部７０となるように構成している。
【００３８】
また図１４（Ｂ）で示す第６実施形態は、シート２の取付軸７２部分とは別の位置にフック状の係合部７０を形成する場合の１例を示し、図示例のものは取付バー３４とフック状の係合部７０を有する複数の平板部７０ｂとの間でシート２を取付ネジ（取付軸）７２によって締着した構成にしている。
そして、上記係合部７０は巻取ドラム３に穿設した係止孔７に係脱可能に係止する構成にしている。
【００３９】
なお上記実施例ではドラム側に係止孔７を、シート巻取端側にスプール状又はワッシャー状の係合部７０を設けているが、係合部７０は単純なフック状でもよく、これに対する係止側は必ずしも孔である必要はなく、例えばドラム周面に軸心方向に沿って設けられた凹状の係止部であってもよい。
【００４０】
【発明の効果】
本発明は、以上のように構成したことにより次のような効果を奏する。
駆動モータによって正逆回転される巻取ドラムの周面側とシート端側とに設けた係脱部を係脱させてシートを巻取ドラムに着脱可能に取付固定するようにしたことにより、巻取ドラムに対するシートの着脱を簡単且つ速やかに行うことができ、シートの組付けやメンテナンス作業等を能率よく行うことができる。
【００４１】
湾曲形成させた複数のドラム板の両端を重接させて巻取ドラムを形成し、ドラム板の重接部に係止孔を穿設したことにより、係合部を厚肉な受面で耐久性を有しながら簡潔な構成を以て安定よく係止することができる。
また係合部をシートの巻取り側の端部を支持する取付バーに一体的に形成することにより、シートの着脱を能率よく行うことができると共に的確に取付固定することができる。
【００４２】
また取付バーと取付座との間に係止孔に係合する筒状の係合部を設けることにより、係止孔に対する係合部の係合を簡単に行うことができると共に、取付座によってシートの外れを防止することができる。
【図面の簡単な説明】
【図１】本発明に係わるシートの巻取繰出構造を備えたシートシャッターを一部破断をして示す正面図。
【図２】図１のシートシャッターを一部破断して示す側面図。
【図３】シートケース内における巻取繰出構造を示す正断面図。
【図４】図３の分解斜視図。
【図５】巻取ドラムの構成を示す断面図。
【図６】図５の繰出動作を示す断面図。
【図７】シートの取付構造の第１実施形態を示す要部の分解斜視図。
【図８】（Ａ）は図７の要部の側断面図。（Ｂ）は係止孔の形状を示す平面図。
【図９】図８の取付座の斜視図。
【図１０】シートの取付構造の第２実施形態を示す要部の分解斜視図。
【図１１】（Ａ）は図１０の要部の側断面図。（Ｂ）は係止孔の形状を示す平面図。
【図１２】図１１の取付座の斜視図。
【図１３】（Ａ）は第３実施形態に係わる取付構造の側断面図。（Ｂ）は第４実施形態に係わる取付構造の側断面図。
【図１４】（Ａ）は第５実施形態に係わる取付構造の側断面図。（Ｂ）は第６実施形態に係わる取付構造の側断面図。
【符号の説明】
１      シートシャッター
１ａ    シャッターフレーム（フレーム）
２      シート（シャッター）
３      巻取ドラム
４      駆動モータ
７      係止孔
７ａ    係止部
３０    ドラム板
３４    取付バー
７０    係合部
７０ａ  鍔部
７２    取付軸（リベット，取付ネジ）
７３    取付座
【図１】
0003606509.tif 000002
【図２】
0003606509.tif 000003
【図３】
0003606509.tif 000004
【図４】
0003606509.tif 000005
【図５】
0003606509.tif 000006
【図６】
0003606509.tif 000007
【図７】
0003606509.tif 000008
【図８】
0003606509.tif 000009
【図９】
0003606509.tif 000010
【図１０】
0003606509.tif 000011
【図１１】
0003606509.tif 000012
【図１２】
0003606509.tif 000013
【図１３】
0003606509.tif 000014
【図１４】
0003606509.tif 000015